(57)【要約】【課題】外部からの荷重を受けた場合であっても、回転支持部が回転軸から脱落することを防止したカメラを提供する。【解決手段】カメラを、カメラ本体部１００と、略同一直線上に配置された回転軸１５１，１５２回りにそれぞれ回転可能にカメラ本体部１００に軸支され、この回転軸１５１，１５２に沿った方向に離間して設けられた１対の回転支持部２２１ａ，２２１ｂと、１対の回転支持部２２１ａ，２２１ｂにそれぞれ固定された支持対象部２１０と、１対の回転支持部２２１ａ，の一方又は両方と、カメラ本体部１００との間に設けられ、少なくとも支持対象部２１０がカメラ本体部１００側に近接した状態において、この回転支持部２２１ｂの回転軸１５２に沿った方向の移動を制限する移動制限部３００とを備える構成とする。【選択図】図２
2006171487.tif 000002
【特許請求の範囲】
【請求項１】
カメラ本体部と、
略同一直線上に配置された回転軸回りにそれぞれ回転可能に前記カメラ本体部に軸支され、この回転軸に沿った方向に離間して設けられた１対の回転支持部と、
前記１対の回転支持部にそれぞれ固定された支持対象部と、
前記1対の回転支持部の一方又は両方と、前記カメラ本体部との間に設けられ、少なくとも前記支持対象部が前記カメラ本体部側に近接した状態において、この回転支持部の前記回転軸に沿った方向の移動を制限する移動制限部と
を備えるカメラ。
【請求項２】
請求項１に記載のカメラにおいて、
前記回転支持部の少なくとも一方は、前記回転軸と略同心の筒状に形成された中空回転軸を介して前記カメラ本体部に支持され、
前記中空回転軸は、弾性を有する材料によって外周面から突き出して形成され、この中空回転軸の長手方向に沿った前記回転支持部の移動を制限する係止爪部を備えること
を特徴とするカメラ。
【請求項３】
請求項２に記載のカメラにおいて、
前記中空回転軸は、その内径側に、前記カメラ本体部側と前記支持対象部とを接続する電気配線を収容すること
を特徴とするカメラ。
【請求項４】
請求項１から請求項３までのいずれか1項に記載のカメラにおいて、
前記移動制限部は、前記カメラ本体部及び前記回転支持部の一方に形成された凸部と、他方に形成され、前記凸部が挿入される凹部とを備えること
を特徴とするカメラ。
【請求項５】
請求項１から請求項４までのいずれか1項に記載のカメラにおいて、
前記支持対象部は、被写体を照明する発光装置であること
を特徴とするカメラ。
【発明の詳細な説明】
【技術分野】
【０００１】
本発明は、本体に対して回転可能に支持された支持対象部を備えたカメラに関するものである。
【背景技術】
【０００２】
カメラにおいて、被写体を照明する発光装置等を内蔵したものが知られている。このような発光装置は、その照射光が、レンズ鏡筒やフードによって遮られること（「ケラレ」とも通称される）を防止するため、レンズ鏡筒の光軸からの距離を確保する必要がある。従来、発光装置をカメラボディに対して軸回りに回転可能に支持して、使用時には光軸から遠ざかる方向に移動させるとともに、不使用時にはボディ側に引き寄せた位置に格納することによって、カメラをコンパクトにし、かつ、ケラレの発生を防止したものが知られている。
【０００３】
カメラの通常撮影時における上部にペンタプリズムを有する一眼レフ方式のカメラの場合は、上述したような格納式の発光装置を、このペンタプリズムのカバー部に設けることが一般的である。
通常、このような格納式の発光装置は、ペンタプリズムのカバーの撮影者側の部分に設けられた回転軸回りに回転可能に支持され、この回転軸よりも被写体側に設けられた発光部を、使用時に上方に回転移動する（ポップアップと通称される）ように構成されている（例えば、特許文献１、２）。
【０００４】
上述したような発光装置の回転支持部において、例えば、その回転軸に沿った方向に離間して設けられた１対の回転支持部を有し、その間隔に、ファインダ光学系や測光素子等を収容することによって、ペンタプリズムのカバー部をコンパクト化することが知られている。
また、このような回転支持部に用いられる回転軸を中空にして、その内部に発光装置とカメラボディ本体側とを接続する電気配線等を収容することが知られている。さらに、このような中空の回転軸の先端部に、弾性を有する材料によって形成された爪部を形成し、この爪部をたわませて押し込むことによって、軸支される対象物である回転支持部が回転軸から軸方向に脱落しないように係止するものが知られている。
【０００５】
しかし、このようなポップアップ式の発光装置を有するカメラに、例えば落下等に起因して、発光装置に対する上方からの荷重が加わると、発光装置及びこれを支持する回転支持部の構造によっては、１対の回転軸によってそれぞれ支持された回転支持部が相互に離間する方向の力が発生し、これによって上述した爪部の係止が外れると、回転支持部が回転軸から脱落し、カメラボディから発光装置が脱落してしまう場合があった、
【特許文献１】実公平６−３３４５６号公報
【特許文献２】特開平８−１６６６２０号公報
【発明の開示】
【発明が解決しようとする課題】
【０００６】
本発明の課題は、外部からの荷重を受けた場合であっても、回転支持部が回転軸から脱落することを防止したカメラを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
【０００８】
請求項１の発明は、カメラ本体部（１００）と、略同一直線上に配置された回転軸（１５１，１５２）回りにそれぞれ回転可能に前記カメラ本体部（１００）に軸支され、この回転軸（１５１，１５２）に沿った方向に離間して設けられた１対の回転支持部（２２１ａ，２２１ｂ）と、前記１対の回転支持部（２２１ａ，２２１ｂ）にそれぞれ固定された支持対象部（２１０）と、前記１対の回転支持部（２２１ａ，２２１ｂ）の一方又は両方と、前記カメラ本体部（１００）との間に設けられ、少なくとも前記支持対象部（２１０）が前記カメラ本体部（１００）側に近接した状態において、この回転支持部（２２１ｂ）の前記回転軸（１５２）に沿った方向の移動を制限する移動制限部（３００）とを備えるカメラである。
【０００９】
請求項２の発明は、請求項１に記載のカメラにおいて、前記回転支持部（２２１ｂ）の少なくとも一方は、前記回転軸と略同心の筒状に形成された中空回転軸（１５２）を介して前記カメラ本体部（１００）に支持され、前記中空回転軸（１５２）は、弾性を有する材料によって外周面から突き出して形成され、この中空回転軸（１５２）の長手方向に沿った前記回転支持部（２２１ｂ）の移動を制限する係止爪部（１５２ａ）を備えることを特徴とするカメラである。
請求項３の発明は、請求項２に記載のカメラにおいて、前記中空回転軸（１５２）は、その内径側に、前記カメラ本体部（１００）側と前記支持対象部（２１０）とを接続する電気配線（１５４）を収容することを特徴とするカメラである。
請求項４の発明は、請求項１から請求項３までのいずれか１項に記載のカメラにおいて、前記移動制限部（３００）は、前記カメラ本体部（１００）及び前記回転支持部（２１１ｂ）の一方に形成された凸部（３０１）と、他方に形成され、前記凸部（３０１）が挿入される凹部（３０２）とを備えることを特徴とするカメラである。
請求項５の発明は、請求項１から請求項４までのいずれか１項に記載のカメラにおいて、前記支持対象部（２１０）は、被写体を照明する発光装置であることを特徴とするカメラである。
【発明の効果】
【００１０】
本発明によれば、支持対象物が少なくともカメラ本体部側に近接した状態において、回転支持部の回転軸に沿った方向の移動を制限する移動制限部を設けているから、支持対象物がカメラ本体側に押圧される方向の入力を受け、１対の回転支持部が相互に開く方向の力が発生した場合であっても、この回転支持部の脱落を防止することができる。
また、脱落防止部を、カメラ本体部及び回転支持部の一方に形成した凸部と、他方に形成した凹部とを有する構成としたから、簡単な構成によって上述した効果を得ることができる。
【発明を実施するための最良の形態】
【００１１】
本発明は、外部からの荷重を受けた場合であっても、回転支持部が回転軸から脱落することを防止したカメラを提供するという目的を、発光装置が固定され、カメラのボディに回転可能に支持された回転支持部に凸部を形成し、発光装置がボディ側に近接した位置にあるときに、この凸部が挿入される凹部をボディの外装部に形成することによって実現した。
【実施例】
【００１２】
以下、図面等を参照して、本発明の実施例をあげて、さらに詳しく説明する。
図１は、本発明を適用したカメラの実施例におけるペンタプリズム部の側面視断面図である。図２は、図１のII−II部矢視断面図である。
【００１３】
カメラは、例えば、一眼レフ方式のデジタルスチルカメラ又はフィルムカメラであって、本体部であるボディ１００と、これに回転可能に支持された発光装置２００と、これらの間に設けられた移動制限部３００とを備えている。
【００１４】
ボディ１００は、外装部１１０と、ファインダ光学系１２０と、ＡＥユニット１３０と、アクセサリシュー１４０と、回転軸部１５０とを備えている（なお、図２では、ファインダ光学系１２０と、ＡＥユニット１３０と、アクセサリシュー１４０は図示を省略する。）。
【００１５】
外装部１１０は、ボディ１００の筐体の外表面部を構成するものであり、例えば、エンジニアプラスチックによるモールド成形品や、マグネシウム合金等の金属材料によるプレス品等によって構成されている。
また、カメラの通常撮影時における上側の部分において、外装部１１０は、他の部分よりも突き出して形成され、その内部にファインダ光学系１２０及びＡＥユニット１３０を収容するペンタカバー部１１０ａが形成されている。なお、以下の説明において、特記ない限りは、方向に関する記載は、カメラの通常撮影時におけるものをいうものとし、通常撮影時とは、撮影用レンズ鏡筒の対物レンズの光軸を水平方向として、横長の矩形画像を撮影する際のカメラの姿勢をいうものとする。
【００１６】
ファインダ光学系１２０は、スクリーン１２１と、ペンタプリズム１２２と、接眼レンズ群１２３とを備えている。
スクリーン１２１は、その下方側に設けられたメインミラーより導かれる被写体像が投影されるものである。
ペンタプリズム１２２は、スクリーンの上側に設けられ、スクリーン１２１から出た像光を、その上下方向及び左右方向にそれぞれ反転させて、撮影者側に出光し、接眼レンズ群１２３に導くものである。
接眼レンズ群１２３は、被写体像の倍率、視度、アイポイント等を適切に調整するものである。
【００１７】
ＡＥユニット１３０は、ペンタプリズム１２２から出た被写体像光の一部を取り込んで、自動露出設定の基準となる被写体像の明るさを測定する測光素子を備えており、上述した接眼レンズ群１２３の上方に配置されている。
アクセサリシュー１４０は、外装部１１０の外面側において、ペンタカバー部１１０ａの上面部であってかつＡＥユニット１３０の上方側の部分に備えられている。このアクセサリシュー１４０は、例えば、外付け式の発光装置等のアクセサリが装着される基部である。
【００１８】
回転軸部１５０は、図２に示すように、それぞれ水平かつレンズ鏡筒の光軸と直交する方向に沿って延在し、外装部１１０のペンタカバー部１１０ａを挟んで配置された１対の回転軸１５１，１５２を備えている。
回転軸１５１，１５２は、略同一直線上に配置され、その長手方向に離間して設けられている。なお、上述したＡＥユニット１３０は、この回転軸１５１，１５２の間に配置されている。なお、この回転軸１５１，１５２の詳細については、後に詳しく説明する。
【００１９】
発光装置２００は、発光部２１０と、発光装置ケース２２０とを備えている。
発光装置２００は、ポップアップ式のものであって、図示しないカメラの制御装置からの指示に応じ、又は、撮影者の手動によって、発光部２１０がボディ１００側に引き寄せられた格納位置から、ボディ１００から上方へ離間した使用位置まで回転移動するようになっている。
発光部２１０は、例えばキセノン管等の閃光発光部や、ＬＥＤ等の定常光発光部を有し、被写体を照明する光源となるものである。
発光装置ケース２２０は、発光部２１０を回転軸部１５０の回転軸１５１，１５２回りに回転可能に支持するものであって、２つ割に形成された下ケース２２１及び上ケース２２２を備えている。
【００２０】
下ケース２２１は、ペンタカバー部１１０ａの回転軸１５１，１５２がそれぞれ配置された各側面に対して、それぞれ対向して設けられた１対の面部をそれぞれ有する回転支持部２２１ａ，２２１ｂを備えている。
回転支持部２２１ａ，２２１ｂは、それぞれ回転軸１５１，１５２が挿入される開口２２１ｃ，２２１ｄが形成されている。
また、回転支持部２２１ａには、開口２２１ｃから連続して、この開口２２１ｃと略同じ内径を有し、ペンタカバー部１１０ａに対して外側に延在する円筒部２２１ｅが形成されている。
さらに、下ケース２２１は、その回転軸部１５０を挟んだ両側に、上方に向けて突き出して形成され、上ケース２２２が係止される突起部２２１ｆが形成されている。
【００２１】
そして、上述した回転軸１５１は、ペンタカバー部１１０ａの内側から、開口２２１ｃ及び円筒部２２１ｅに挿入され、その先端部は、ビス１５１ａをその軸方向に沿って挿入され、このビス１５１の端部につば状に形成されたフランジ部によって、下ケース２２１の回転支持部２２１ａが回転軸１５１から脱落しないように係止している。なお、回転軸１５１の外径側には、発光装置２００を、その発光部２１０がボディ１００から遠ざかる方向に付勢するポップアップバネ１５３が配置されている。
【００２２】
図３は、下ケース２２１の回転支持部２２１ｂと、回転軸１５２との接合部における外観斜視図である。なお、図３においては、上ケース２２２を装着しない状態を示している。
上述した回転軸１５２は、例えばエンジニアリングプラスチック等の弾性を有する材料によって、中空円筒状に形成され、その一端部には、外径側に張り出した係止部を有する爪部１５２ａが形成され、他端部には、外周面からつば状に張り出して形成されたフランジ部１５２ｂが形成されている。また、回転軸１５２の内径側には、ボディ１００側と発光部２１０との間に設けられた電気配線であるリード線１５４が収容されている。
【００２３】
回転軸１５２は、爪部１５２ａが形成された側を先にして、ペンタカバー部１１０ａの内側から挿入され、そのフランジ部１５２ｂがペンタカバー部１１０ａの内面と接することによって、ペンタカバー部１１０ａからその外側に脱落しないように係止されている。
一方、回転軸１５２の爪部１５２ａが形成された側の端部は、下ケース２２１の回転支持部２２１ｂに設けられた開口２２１ｄを貫通し、この回転支持部２２１ｂのペンタプリズム部１１０ａとは反対側の面に、爪部１５２ａが係止されることによって、この回転軸１５２から、下ケース２２１の回転支持部２２１ｂが脱落しないようになっている。
【００２４】
上ケース２２２は、下ケース２２１の上方側から被せられる、カメラの外装の一部を構成するカバー状の部材である。
図４は、発光装置ケース２２０の外観斜視図である。上ケース２２２は、ペンタカバー部１１０ａの頂部に設けられたアクセサリシュー１４０との干渉を避けるため、その被写体側に設けられ、発光部２１０を収容する収容部２２２ａの両端部から、それぞれ対応する回転軸１５１，１５２側に向けて延在する１対の腕状部２２２ｂを有し、全体として、回転軸部１５０側が開いたＵ字状又はコの字状に形成されている。
また、上ケース２２２は、その水平かつレンズ鏡筒の光軸と直交する方向における上方側の幅が、下方側の幅よりも徐々に小さくなるように形成されている。
さらに、上ケース２２２は、上述した下ケース２２１の突起部２２１ｆがそれぞれ挿入され、係止される凹部２２２ｃが形成されている。
【００２５】
移動制限部３００は、図２に示すように、下ケース２２１の回転軸１５２が設けられる側の回転支持部２２１ｂに設けられ、そのボディ１００の外装部１１０の上面部と対向する面部から突き出して形成された凸部３０１と、この外装部１１０の上面部を凹ませて形成され、発光部２１０が図示しないレンズ鏡筒の光軸側に最も引き寄せられた格納位置にあるときに、凸部３０１の先端部が挿入される凹部３０２とを備えている。
【００２６】
次に、上述した実施例による効果を、本発明の比較例を対比して説明する。
図５は、比較例のカメラの要部断面図であって、実施例における図２に相当する図である。比較例のカメラは、移動制限部３００を設けていない他は、上述した実施例と同様の構成を備えている。
【００２７】
例えば、カメラを、そのペンタカバー１１０ａ側が下となるように落下させた場合のように、図４に示すように発光装置ケース２２０の上ケース２２２の上面部Ａに対して荷重Ｆ１が加わった場合、上ケース２２２の形状に起因して、その回転軸部１５０側の一対の腕状部２２２ｂが、回転軸部１５０の軸方向に沿って、離間しようとする力Ｆ２が生ずる。この場合、上ケース２２２の凹部２２２ｃと下ケース２２１の凸部２２１ｆとが係合しているから、下ケース２２１に対しても、その回転支持部２２１ａ，２２１ｂを相互に離間させる方向に力が作用する。
【００２８】
このとき、比較例においては、Ｆ２が大きくなると、回転軸１５２の爪部１５２ａが弾性変形してその内径側に移動し、下ケース２２１の回転支持部２２１ｂとの係合が外れて、回転支持部２２１ｂの開口２２１ｄが回転軸１５２から脱落し、これによって、発光装置２００がボディ１００から脱落する場合がある。
【００２９】
これに対し、実施例の場合は、脱落防止部３００の凸部３０１と凹部３０２とが係合することによって、下ケース２２１の回転支持部２２１ｂが回転軸１５２の軸方向に沿って移動することが防止されるから、回転軸１５２から下ケース２２１が脱落することが防止される。
【００３０】
以上のように、実施例によれば、発光部２１０がボディ１００側に近接した状態において、回転支持部２２１ｂの回転軸１５２に沿った方向の移動を制限する移動制限部３００を設けているから、上カバー２２２に対してその上面側から大きな荷重が加わり、回転支持部２２１ｂを回転軸１５２から引き抜く方向の力Ｆ２が発生しても、回転支持部２２１ｂの脱落を防止することができる。
また、移動制限部３００は、回転支持部２２１ｂに設けた凸部３０１を、これと対向する外装部１１０に設けた凹部３０２に挿入するようにしたから、簡単な構成によって上述した効果を得ることができる。
また、凹部３０２は、外装部１１０の表面を凹ませて形成しているから、ボディ１００の防水性等を損なうことがない。
【００３１】
（変形例）
本発明は、以上説明した各実施例に限定されることなく、種々の変形や変更が可能であって、それらも本発明の均等の範囲内である。
（１）移動制限部の構成は、上述した実施例のものに限らず、例えば、ボディ側に凸部を形成し、これが挿入され係合される凹部を回転支持部側に設けてもよい。また、凸部と凹部との組み合わせに限らず、例えば、回転支持部を、その脱落が懸念される方向の面部から押える構成としてもよい。
（２）上述した実施例は、支持対象物は発光装置であったが、これに限らず、例えば、デジタルカメラのボディに対して回転可能に装備される液晶表示装置（ＬＣＤ）であってもよい。
【図面の簡単な説明】
【００３２】
【図１】本発明を適用したカメラの実施例におけるペンタプリズム部の側面視断面図である。
【図２】図１のII−II部矢視断面図である。
【図３】図１のカメラの下ケースの回転支持部と回転軸との接合部の外観斜視図である。
【図４】図１のカメラの発光装置ケースの外観斜視図である。
【図５】本発明の比較例のカメラの要部断面図である。
【符号の説明】
【００３３】
１００    ボディ
１１０    外装部
１２０    ファインダ光学系
１３０    ＡＥユニット
１４０    アクセサリシュー
１５０    回転軸部
１５１    回転軸
１５２    回転軸
１５２ａ  爪部
２００    発光装置
２１０    発光部
２２０    発光装置ケース
２２１    下ケース
２２１ａ，２２１ｂ  回転支持部
２２２    上ケース
３００    移動制限部
３０１    凸部
３０２    凹部
【図１】
2006171487.tif 000003
【図２】
2006171487.tif 000004
【図３】
2006171487.tif 000005
【図４】
2006171487.tif 000006
【図５】
2006171487.tif 000007